(57)【要約】【課題】スティックピンが直立状態と所定の倒れた状態とで確実に位置決め保持されるようにする。【解決手段】円筒状の基部１１の外周面１１ｓからスティックピン１０を径方向に突出させて設け、その基部１１を軸２によって一対の支持部に回動自在に軸支させ、その一対の支持部を装身具に固定される支持筒５の開口端５ａの両側に固設し、基部１１の外周面１１ｓにおけるスティックピン１０が突出する位置に対して正反対側の位置に第１の凹曲部１ａを、その中間の位置に第２の凹曲部１１ｂをそれぞれ設けている。支持筒５内には、凸曲部６ａを有する係止部材６を開口端５ａから出没する方向に可動に設け、その係止部材６を凸曲部６ａが開口端５ａから突出する方向に付勢するコイルスプリング７を設け、その凸曲部６ａが、基部１１の第１の凹曲部１１ａに係合したときスティックピン１０を直立した位置に係止し、第２の凹曲部１１ｂに係合したときには倒れた位置に係止する。【選択図】        図５
2010063673.tif 000002
【特許請求の範囲】
【請求項１】
先端が尖ったスティックピンを、円筒状の基部の外周面から径方向に突出させて設け、
該基部を、その中心の軸孔を貫通する軸によって該基部を挟む一対の支持部に回動自在に軸支させ、該一対の支持部を装身具に固定される支持筒の開口端の両側に固設し、
前記基部の外周面における前記スティックピンが突出する位置に対して正反対側の位置に第１の凹曲部を、その中間の位置に第２の凹曲部をそれぞれ設け、
前記支持筒内に、前記開口端から突出して前記基部の外周面に当接する凸曲部を有する係止部材を前記開口端から出没する方向に可動に設けるとともに、該係止部材を前記凸曲部が前記開口端から突出する方向に常時付勢するコイルスプリングを設け、
前記係止部材の前記凸曲部が、前記基部の前記第１の凹曲部に係合したとき前記スティックピンを直立した位置に係止し、前記第２の凹曲部に係合したとき前記スティックピンを倒れた位置に係止するようにしたことを特徴とする装身具用ピン。
【請求項２】
請求項１に記載の装身具用ピンにおいて、前記円筒状の基部の外周面に、前記第１の凹曲部に前記係止部材の前記凸曲部が係合する位置で前記支持筒に係合して、該基部のそれ以上の回動を阻止するストッパ部を突設したことを特徴とする装身具用ピン。
【請求項３】
先端が尖ったスティックピンを、円筒状又は多角筒状の基部の外周面から径方向に突出させて設け、
該基部を、その中心の軸孔を貫通する軸によって該基部を挟む一対の支持部に回動自在に軸支させ、該一対の支持部を装身具に固定される支持筒（円筒でも角筒でもよい）の該開口端の両側に固設し、
前記基部の外周面における前記スティックピンが突出する位置に対して正反対側の位置に第１の平面部を、その中間の位置に第２の平面部をそれぞれ設け、
前記支持筒内に、前記開口端から突出して前記基部の外周面に当接する平面部を有する係止部材を前記開口端から出没する方向に可動に設けるとともに、該係止部材を前記平面部が前記開口端から突出する方向に常時付勢するコイルスプリングを設け、
前記係止部材の前記平面部が、前記基部の前記第１の平面部に係合したとき前記スティックピンを直立した位置に係止し、前記第２の平面部に係合したとき前記スティックピンを倒れた位置に係止するようにしたことを特徴とする装身具用ピン。
【請求項４】
請求項３に記載の装身具用ピンにおいて、前記円筒状又は多角筒状の基部の外周面に、前記第１の平面部に前記係止部材の前記平面部が係合する位置で前記支持筒に係合して、該基部のそれ以上の回動を阻止するストッパ部を突設したことを特徴とする装身具用ピン。
【請求項５】
請求項２又は請求項４に記載の装身具用ピンにおいて、前記ストッパ部が球形であることを特徴とする装身具用ピン。
【請求項６】
装身具本体の裏面側に、請求項１から５のいずれか一項に記載の装身具用ピンを、前記支持筒を固定して設けたことを特徴とする装身具。
【請求項７】
請求項６に記載の装身具において、前記装身具本体の裏面側に、前記スティックピンが前記倒れた位置に係止されたときに該スティックピンの先端部を受け止めて保護するピン先受部を設けたことを特徴とする装身具。
【発明の詳細な説明】
【技術分野】
【０００１】
この発明は、ブローチやネクタイピンなどの装身具に設ける装身具用ピン、およびそのピンを設けた装身具に関する。
【背景技術】
【０００２】
ブローチやネクタイピンなどの装身具には、装飾を施した貴金属や宝玉等からなる装身具本体の裏面にスティックピンを突設しており、衣服やネクタイに装着する際には、そのスティックピンを衣服やネクタイに刺して、裏側でキャッチに嵌入させて固定し、スティックピンの先端側をキャッチで覆った安全な状態で装着するタイプのものがある。
このような装身具は、使用しないときにはスティックピンにキャッチを嵌めておくが、装身具本体の裏面に略垂直にスティックピンが突設されているため、かさばって収納しにくいし、キャッチが外れた場合には危険であった。
【０００３】
また、鎖や連珠ネックレスなどのいわゆる紐状装身具を身に付ける時に、それらに挿通されて垂れ下がるようにして使用する装身具としてペンダントがある。そのペンダントにはスティックピンは設けられていないので、ブローチとして使用することはできなかった。
【０００４】
そこで、例えば特許文献１には、ブローチ等の装身具本体の裏面側に、ピンを直立状態から装身具本体の裏面に略平行な横倒状態まで回動可能に設けたものが提案されている。
この装身具は、そのピンを安全ピンのように衣服等の布を縫うように表から裏に刺して又表に刺し、横倒状態でその先端部を装身具本体の裏面側に設けられた筒体に挿入させて装着する。そして、使用しないときもピンを横倒状態にしてその先端部を筒体に挿入しておけば、容易に安全な状態で収納できる。
【０００５】
また、その装身具本体に輪環を設けておけば、ピンを横倒状態にしたまま、輪環に鎖等を通してペンダントとして使用することもできる。
【特許文献１】特開平１１−２５３２１２号公報
【発明の開示】
【発明が解決しようとする課題】
【０００６】
しかしながら、この装身具のピンは、装身具本体に回動可能に軸支されているが、直立状態や横倒状態で確実に位置決め保持されることはなく、不用意に回動するので、スティックピンとしてキャッチと組み合わせて使用することは想定されておらず、安全ピン式に衣服等に装着するのも装着しにくかった。また、ピンを倒した状態で保持するために先端部を筒体に挿入させる構造が必要になるなどの問題があった。
【０００７】
この発明は、スティックピンが直立状態と所定の倒れた状態とで確実に位置決め保持されるようにした装身具用ピンとそれを備えた装身具を提供し、衣服等への装身具の装着を簡単且つ確実に行え、スティックピンを倒すだけでもその状態を維持するようにすることを目的とする。
【課題を解決するための手段】
【０００８】
この発明による装身具用ピンは、上記の目的を達成するため、先端が尖ったスティックピンを、円筒状の基部の外周面から径方向に突出させて設け、該基部を、その中心の軸孔を貫通する軸によって該基部を挟む一対の支持部に回動自在に軸支させ、その一対の支持部を装身具に固定される支持筒の開口端の両側に固設し、上記基部の外周面におけるスティックピンが突出する位置に対して正反対側の位置に第１の凹曲部を、その中間の位置に第２の凹曲部をそれぞれ設けている。
そして、上記支持筒内に、上記開口端から突出して上記基部の外周面に当接する凸曲部を有する係止部材を上記開口端から出没する方向に可動に設けるとともに、その係止部材を上記凸曲部が上記開口端から突出する方向に常時付勢するコイルスプリングを設け、上記係止部材の凸曲部が、上記基部の第１の凹曲部に係合したとき上記スティックピンを直立した位置に係止し、第２の凹曲部に係合したとき上記スティックピンを倒れた位置に係止するようにしたものである。
【０００９】
さらに、上記円筒状の基部の外周面に、上記第１の凹曲部に上記係止部材の凸曲部が係合する位置で上記支持筒に係合して、該円筒状基部のそれ以上の回動を阻止するストッパ部を突設するとよい。
【００１０】
また、上記円筒状の基部に代えて円筒状又は多角筒状の基部とし、その外周面における上記スティックピンが突出する位置に対して正反対側の位置に第１の平面部を、その中間の位置に第２の平面部をそれぞれ設け、上記係止部材の上記基部の外周面に当接する部分を平面部とし、その係止部材の平面部が、上記基部の第１の平面部に係合したとき上記スティックピンを直立した位置に係止し、第２の平面部に係合したとき上記スティックピンを倒れた位置に係止するようにしてもよい。
【００１１】
その場合も、上記円筒状又は多角筒状の基部の外周面に、上記第１の平面部に上記係止部材の平面部が係合する位置で上記支持筒に係合して、該基部のそれ以上の回動を阻止するストッパ部を突設するとよい。
これらの装身具用ピンにおいて、上記ストッパ部が球形であるとよい。
【００１２】
この発明による装身具は、装身具本体の裏面側に、上記いずれかの装身具用ピンを、上記支持筒を固定して設けたものである。
さらに、上記装身具本体の裏面側に、上記スティックピンが上記倒れた位置に係止されたときにそのスティックピンの先端部を受け止めて保護するピン先受部を設けるとなおよい。
【発明を実施するための最良の形態】
【００１３】
以下、この発明実施するための最良の形態を図面を参照して具体的に説明する。
〔装身具用ピンの第１実施例〕
先ず、この発明による装身具用ピンの第１実施例を、図１〜図５によって説明する。図１はその正面図、図２はそのスティックピン・アッセンブリの側面と支持筒の側断面を分離した状態で示す。図３は係止部材とコイルスプリングの分解側面図、図４はその装身具用ピンによるスティックピンの２つの状態を示す側面図、図５はそれを図１のＡ−Ａ線に沿う断面で示す図である。
【００１４】
この第１実施例の装身具用ピンは、図２に明示するように、先端が尖ったスティックピン１０を、円筒状の基部１１の外周面から径方向に突出させて設け、スティックピン・アッセンブリ１を構成している。その基部１１は中心に軸孔１１ｃを有し、外周面１１ｓにおけるスティックピン１０が突出する位置に対して正反対側の位置に第１の凹曲部１１ａを、その中間の位置に第２の凹曲部１１ｂをそれぞれ設けている。この例では、スティックピン１０が突出する位置と第１の凹曲部１１ａと第２の凹曲部１１ｂの各中心が、基部１１の円周方向に９０°ずつの角度間隔を有する位置関係にあるが、第２の凹曲部１１ｂの位置は多少ずらしてもよい。
【００１５】
このスティックピン・アッセンブリ１の円筒状の基部１１を、図１に示すように、その中心の軸孔１１ｃを貫通する軸２によって基部１１を挟む一対の支持部３，４に回動自在に軸支させる。その一対の支持部３，４は、図示していない装身具に固定される支持筒（円筒でも角筒でもよい）５の開口端５ａ（図２）の両側に固設されている。なお、図２および図５においては支持部４の図示を省略している。
【００１６】
支持筒５内には図２および図３に示すように、支持筒５の開口端５ａから突出して基部１１の外周面１１ｓに当接する凸曲部６ａを有する係止部材６を、開口端５ａから出没する方向に可動に設けるとともに、その係止部材６を凸曲部６ａが開口端５ａから突出する方向に常時付勢するコイルスプリング７を設けている。係止部材６の下面には小径の円柱状突起６ｂが設けられており、その円柱状突起６ｂがコイルスプリング７内に嵌入している。係止部材６の外周形状は、支持筒５の内周形状と一致している。
【００１７】
基部１１の外周面１１ｓに、第１の凹曲部１１ａに係止部材６の凸曲部６ａが係合する位置で支持筒５に係合して、基部１１のそれ以上の回動を阻止する球形のストッパ部１２を突設している。このストッパ部１２は球形に限るものではないし省略してもよい。
このように構成した装身具用ピンは、スティックピン・アッセンブリ１を、図４および図５の（ａ）に示す直立位置と（ｂ）に示す倒れた位置との間で、軸２の回りに約９０°回動させることができる。
【００１８】
そして、係止部材６の凸曲部６ａが基部１１の第１の凹曲部１１ａに係合したとき、図４および図５の（ａ）に示すようにスティックピン１０を直立した位置に係止する。このとき、基部１１の外周面１１ｓに突設された球形のストッパ部１２が支持筒５の開口端５ａの周縁部に係合して、基部１１のそれ以上の回動を阻止するため、スティックピン１０を容易に直立状態に位置決め保持することができる。
【００１９】
また、係止部材６の凸曲部６ａが基部１１の第２の凹曲部１１ｂに係合したとき、図４および図５の（ｂ）に示すようにスティックピン１０を倒れた位置、すなわち支持筒５の軸線とスティックピン１０の長手方向とが直交する位置に係止する。
係止部材６はコイルスプリング７の付勢力によって、その凸曲部６ａを基部１１の第１の凹曲部１１ａ又は第２の凹曲部１１ｂに押圧して係合するので、スティックピン１０は直立位置と倒れた位置とで確かなクリック感をもって確実に位置決め係止される。
スティックピン・アッセンブリ１を回動させる際に、ストッパ部１２に指の爪を引っ掛けて回動させることもできる。
【００２０】
〔装身具用ピンの第２実施例〕
次に、この発明による装身具用ピンの第２実施例を、図６と図７によって説明する。図６はその第２実施例の装身具用ピンを示す図２と同様な図であり、図７は図５と同様な図である。これらの図において、説明の便宜上図１〜図５と同じ名称の部分には同じ符号を付している。また、これれらの図においても支持部４の図示を省略している。
【００２１】
この第２実施例の装身具用ピンは、図６に明示するように、スティックピン・アッセンブリ１の円筒状の基部１１の外周面１１ｓに、第１実施例における第１の凹曲部１１ａと第２の凹曲部１１ｂに代えて、第１の平面部１１ｄと第２の平面部１１ｅを設けている。すなわち、基部１１の外周面１１ｓにおけるスティックピン１０が突出する位置に対して正反対側の位置に第１の平面部１１ｄを、その中間の位置に第２の平面部１１ｅをそれぞれ設けている。
【００２２】
また、係止部材６における基部１１の外周面１１ｓに当接する部分を平面部６ｄとし、その平面部６ｄが基部１１の第１の平面部１１ｄに係合したときには、図７の（ａ）に示すようにスティックピン１０を直立した位置に係止し、第２の平面部１１ｅに係合したときには、図７の（ｂ）に示すようにスティックピン１０を倒れた位置に係止する。
このように構成しても、スティックピン１０は直立位置と倒れた位置とでのクリック感と位置決め保持力が幾分小さくなるが、実用上問題はない。クリック感や位置決め保持力を強めたい場合には、コイルスプリング７の付勢力を強くすればよい。
その他の構成および機能は第１実施例と同じである。
【００２３】
〔装身具用ピンの第３実施例〕
次に、この発明による装身具用ピンの第３実施例を、図８によって説明する。図８はその第３実施例の装身具用ピンを示す図２および図６と同様な図であり、説明の便宜上図２および図６と同じ名称の部分には同じ符号を付している。まお、この図８においても支持部４の図示を省略している。
【００２４】
この第３実施例の装身具用ピンは、図８に明示するように、スティックピン・アッセンブリ１の基部１１が八角筒状であり、その外周面１１ｓを形成する８平面のうち、スティックピン１０が突出する位置に対して正反対側の位置の平面を第１の平面部１１ｄとし、その中間の位置にあるスティックピン１０の長手方向に平行な平面の一方（図８で右側）を第２の平面部１１ｅとしている。そして、基部１１の図８で第１の平面部１１ｄに対して左隣の平面に、球形のストッパ部１２を設けている。係止部材６の形状は第２実施例と同じである。
【００２５】
この第３実施例によっても、前述した第２実施例と同様に、係止部材６の平面部６ｄがスティックピン・アッセンブリ１の基部１１の第１の平面部１１ｄに係合したときには、スティックピン１０を直立位置に係止し、第２の平面部１１ｅに係合したときには、スティックピン１０を倒れた位置に係止することができる。さらに、この実施例の場合には、スティックピン１０を直立位置から４５°傾斜した位置や１３５°回動した位置でも係止することができる。
【００２６】
なお、基部１１の外周形状を４角形にすれば、スティックピン１０を直立位置と９０°倒した位置にのみ係止することができる。また、基部１１の外周形状を六角形にすれば、スティックピン１０を直立位置と６０°および１２０°倒した位置で係止することができる。その他の構成および機能は第１実施例と同じである。
【００２７】
〔装身具の実施例〕
次に、この発明による上述した装身具用ピンを用いた装身具の実施例を図９〜図１１によって説明する。この装身具８は、ブローチとペンダントに共用できる装身具である。
装身具本体２０は１８金やホワイトゴールドなどの貴金属で形成され、この例では図１１に示す正面から見た形はツリー状になっている。そして、その周囲や内部に宝石や真珠、貴金属玉などの宝玉２１が多数ちりばめられている。
【００２８】
この装身具本体２０の上部（図９，１０では左側）にはループをなす鎖挿通部２２が形成され、下部（（図９，１０では右側）には木の幹の形状をした延設部２３が設けられ、その裏面側が溝状に掘り込まれてピン先受部２３ａとなっている。
この装身具本体２０の裏面側に前述した装身具用ピンを、その支持筒５を開口端５ａを後方に向けて一体に固定して設けている。この装身具用ピンの各部も装身具本体２０と同じ貴金属で作るのが望ましい。
【００２９】
図９はこの装身具８をブローチとして使用する状態であり、スティックピン・アッセンブリ１を、スティックピン１０が直立状態となる位置に回動させて係止させている。
装身具８をこの状態で衣服に装着するには、スティックピン１０を衣服の布１５に刺して、その裏側でスティックピン１０を仮想線で示すキャッチ９に挿入すれば、キャッチ９がスティックピン１０にその先端部側を覆って固着され、装身具８の抜け止めとなる。
キャッチ９は、従来からタイタックなどに使用されている公知のものと同様な構造のものでよい。
【００３０】
この装身具８を衣服から外す際には、キャッチ９の径方向の両側に突出している一対の操作片９ａ，９ｂを指で挟んで押し込めば、スティックピン１０との結合が解除され、スティックピン１０を容易に引き抜いて、装身具８を衣服から外すことができる。
【００３１】
図１０と図１１はこの装身具８をペンダントとして使用する状態であり、スティックピン・アッセンブリ１を図９に示した状態から同図で略９０°右旋回動させて、図１０に示すようにスティックピン１０が倒れた位置に係止させる。この状態で、スティックピン１０の先端部はピン先受部２３ａ嵌入し、そこに受け止められて保護される。したがって、スティックピン１０の先端部が不用意に露出するような危険はなく、ほぼ装身具８の厚さ内に収納される。
【００３２】
そこで、鎖挿通部２２にネックレス用の鎖（チエン）１７を通せば、図１１に示すようにペンダントとして使用することができる。
このように、この発明による装身具は、ブローチとペンダントに自由に使い分けることができる。そして、スティックピンが直立状態と所定の倒れた状態とで確実に位置決め保持されるので、ブローチとして使用する際の衣服への取り付けと取り外しが容易であり、ペンダントとして使用する際のスティックピンの収納も簡単且つ安全に行うことができる。
また、装身具を使用しないときには、スティックピンを倒した位置に係止しておけば、かさばらず、容易且つ安全に収納できる。
装身具本体２０の材質やデザインは任意に変更できることは勿論である。
【産業上の利用可能性】
【００３３】
この発明は、ブローチやタイタック、バッチなど、スティックピンを備えた各種の装身具に適用できる。特に、ブローチとペンダントに兼用する装身具に最適である。
【図面の簡単な説明】
【００３４】
【図１】この発明による装身具用ピンの第１実施例の正面図である。
【図２】同じくそのスティックピン・アッセンブリの側面と支持筒の側断面を分離した状態で示す図である。
【図３】図２に示した係止部材とコイルスプリングの分解側面図である。
【図４】図１に示した装身具用ピンによるスティックピンの２つの状態を示す側面図である。
【図５】同じくそれを図１のＡ−Ａ線に沿う断面で示す図である。
【図６】この発明による装身具用ピンの第２実施例の図２と同様な図である。
【図７】同じくその第２実施例の図５と同様な図である。
【図８】この発明による装身具用ピンの第３実施例の図２と同様な図である。
【図９】この発明による装身具用ピンを備えた装身具をブローチとして使用する状態の例を示す側面図である。
【図１０】この発明による装身具用ピンを備えた装身具をペンダントとして使用する状態の例を示す側面図である。
【図１１】同じくそれに鎖を通した状態を示す正面図である。
【符号の説明】
【００３５】
１：スティックピン・アッセンブリ      ２：軸      ３，４：支持部      
５：支持筒      ５ａ：開口端      ６：係止部材      ６ａ：凸曲部      
６ｂ：円柱状突起      ６ｄ：平面部      ７：コイルスプリング      
８：装身具      ９：キャッチ      ９ａ，９ｂ：操作片
１０：スティックピン      １１：基部      １１ａ：第１の凹曲部
１１ｂ：第２の凹曲部      １１ｃ：軸孔      １１ｄ：第１の平面部
１１ｅ：第２の平面部      １１ｓ：外周面
１２：ストッパ部      １５：布        １７：鎖
２０：装身具本体      ２１：宝玉      ２２：鎖挿通部      ２３：延設部
２３ａ：ピン先受部
【図１】
2010063673.tif 000003
【図２】
2010063673.tif 000004
【図３】
2010063673.tif 000005
【図４】
2010063673.tif 000006
【図５】
2010063673.tif 000007
【図６】
2010063673.tif 000008
【図７】
2010063673.tif 000009
【図８】
2010063673.tif 000010
【図９】
2010063673.tif 000011
【図１０】
2010063673.tif 000012
【図１１】
2010063673.tif 000013